(57)【要約】【課題】ファイルのフォーマット変換を容易にする。【解決手段】クラウドサーバ３０は、記憶部３３に、複数のデータフォーマット変換用プログラム３３ｄと、変換の種類とその変換に使用するデータフォーマット変換用プログラムとを対応付けるプログラムリスト３３ｃとを記憶している。ネットワークを介して、ユーザ端末より、変換対象データと変換先のフォーマットの指定を受け付けると、制御部３１は、プログラムリスト３３ｃを参照して、フォーマット変換に使用するプログラムを特定し、起動する。制御部３１は、起動したプログラムを実行し、データを指定されたフォーマットのデータに変換する。制御部３１は、変換が終了すると、変換済のデータをユーザ用端末に送信する。また、記憶部３３に蓄積する。ユーザ用端末は、変換済のデータを受信する。受信したデータが破損した場合、ユーザは、クラウドサーバ３０に蓄積されている中から必要なデータを特定し、ダウンロードすることができる。【選択図】図５
2014039134.tif 000002
【特許請求の範囲】
【請求項１】
複数のデータフォーマット変換用プログラムと、変換の種類とその変換に使用するデータフォーマット変換用プログラムとを対応付ける特定データと、を記憶する記憶部と、
ネットワークを介して、ユーザ端末より、変換対象データと変換先のフォーマットの指定を受け付ける受付部と、
前記受付部で受け付けた指定により特定された変換に使用するプログラムを前記特定データから特定するプログラム特定手段と、
前記プログラム特定手段により特定したプログラムを実行して、受信したデータを指定されたフォーマットのデータに変換する変換手段と、
前記変換手段により変換れたデータをユーザ端末に送信する送信手段と、
を備えることを特徴とするデータフォーマット変換システム。
【請求項２】
前記変換手段により変換されたデータ及び／又は変換前のデータを、属性情報と共に蓄積する蓄積手段を備え、
前記送信手段は、ユーザ端末からの要求に応答して、前記蓄積手段に蓄積されたデータを選択して、ユーザ端末に送信する、
を備えることを特徴とする請求項１に記載のデータフォーマット変換システム。
【請求項３】
ネットワークを介して、ユーザ端末より、変換対象データと変換先のフォーマットの指定を受け付け、
受け付けた指定により特定された変換に使用するプログラムを予め記憶している複数のプログラムのうちから特定し、
特定したプログラムを実行して、受信したデータを指定されたフォーマットのデータに変換する、
ことを特徴とするデータフォーマット変換方法。
【発明の詳細な説明】
【技術分野】
【０００１】
本発明は、データフォーマット変換システム及びデータフォーマット変換方法に関する。
【背景技術】
【０００２】
過去様々規格に基づいたデータ処理装置が生まれ、各規格に基づいたデータが残存している。しかし、新たな規格の機器が普及すると、従前の規格で生成された各種データを再生することさえできなくなるという問題がある。
また、複数の規格が併存している場合に、一方の規格に準拠したデータを他方の規格に準拠した装置で再生することができないという問題がある。
このような問題を解決する一助として、データコンバータを使用することが考えられる。データコンバータは、所定のフォーマットのデータを他のフォーマットのデータに変換する装置である。
例えば、特許文献１には、アナログ方式のＶＴＲの著作権保護信号を圧縮方式のデジタルＶＴＲで記録再生する装置が開示されている。
【先行技術文献】
【特許文献】
【０００３】
【特許文献１】特開平７−１１１６３４号公報
【発明の概要】
【発明が解決しようとする課題】
【０００４】
上述のようなフォーマット変換を行う場合、変換装置は、変換前のフォーマットと変換後のフォーマットの組み合わせ毎に用意しなければならず、その数は膨大な量となる。
このため、ごく一部のフォーマットの組み合わせについては、変換サービスも行われているが、多くのフォーマットの変換はできず、データが死蔵されている状態なっている。
【０００５】
本発明は、上記実情に鑑みてなされたものであり、データのフォーマット変換を容易に実行可能とすることを目的とする。
【課題を解決するための手段】
【０００６】
上記目的を達成するために、本発明のデータフォーマット変換システムは、
複数のデータフォーマット変換用プログラムと、変換の種類とその変換に使用するデータフォーマット変換用プログラムとを対応付ける特定データと、を記憶する記憶部と、
ネットワークを介して、ユーザ端末より、変換対象データと変換先のフォーマットの指定を受け付ける受付部と、
前記受付部で受け付けた指定により特定された変換に使用するプログラムを前記特定データから特定するプログラム特定手段と、
前記プログラム特定手段により特定したプログラムを実行して、受信したデータを指定されたフォーマットのデータに変換する変換手段と、
前記変換手段により変換れたデータをユーザ端末に送信する送信手段と、
を備えることを特徴とする。
【０００７】
なお、前記変換手段により変換されたデータ及び／又は変換前のデータを、属性情報と共に蓄積する蓄積手段を備え、前記送信手段は、ユーザ端末からの要求に応答して、前記蓄積手段に蓄積されたデータを選択して、ユーザ端末に送信するように構成してもよい。
【０００８】
上記目的を達成するために、本発明のデータフォーマット変換方法は、
ネットワークを介して、ユーザ端末より、変換対象データと変換先のフォーマットの指定を受け付け、
受け付けた指定により特定された変換に使用するプログラムを予め記憶している複数のプログラムのうちから特定し、
特定したプログラムを実行して、受信したデータを指定されたフォーマットのデータに変換する、
ことを特徴とする。
【発明の効果】
【０００９】
本発明によれば、データフォーマットを容易に変換することができる。
【図面の簡単な説明】
【００１０】
【図１】本発明の実施の形態に係るデータフォーマット変換システムの構成図である。
【図２】（ａ）は、ユーザ用端末の構成を示す図であり、（ｂ）は、ユーザ用端末の記憶部が格納する会員情報の例を示す図である。
【図３】店舗用端末の構成を示す図である。
【図４】図３に示すメデアインタフェースの構成を示す図である。
【図５】クラウドサーバの構成を示す図である。
【図６】クラウドサーバの記憶部が格納する顧客管理ＤＢの例を示す図である。
【図７】クラウドサーバの記憶部が格納する変換データＤＢの例を示す図である。
【図８】クラウドサーバの記憶部が格納する変換プログラムリストの例を示す図である。
【図９】（ａ）〜（ｃ）は、ファイルフォーマット変換処理の操作画面の遷移を示す図である。
【図１０】データフォーマット変換処理の処理手順を示すシーケンス図である。
【図１１】データダウンロード処理の手順を示すシーケンス図である。
【図１２】データフォーマット変換装置の構成の他の例を示すブロック図である。
【発明を実施するための形態】
【００１１】
以下、本発明の実施の形態にかかるデータフォーマット変換システム１００について、図面を参照して説明する。
【００１２】
（実施の形態１）
実施の形態１に係るデータフォーマット変換システム１００は、ネットワークを介してユーザからデータを受け付けて、データを変換してユーザに変換するシステムであり、図１に示すように、複数のユーザ用端末１０（１０−１〜１０−Ｌ）、店舗用端末２０（２０−１〜２０−Ｍ）、クラウドサーバ３０、を備えている。
【００１３】
ユーザ用端末１０（１０−１〜１０−Ｌ）は、それぞれ、ユーザにより使用され、このデータフォーマット変換システム１００で提供されるフォーマット変換サービスを享受するコンピュータである。ユーザ用端末１０の多くは、このデータフォーマット変換システム１００を運営するコンピュータ販売店の店頭、通信販売等でユーザが購入したコンピュータ、タブレット、周辺機械等の情報機器であり、購入時に、コンピュータ自体の設定、インターネットサービスプロバイダへの加入などの登録処理がなされたものである。
【００１４】
ユーザ用端末１０は、図２（ａ）に示すように、制御部１１、操作部１２、表示部１３、通信部１４、記憶部１５、データインタフェース１６、を備える。操作部１２、表示部１３、通信部１４、記憶部１５、データインタフェース１６は、制御部１１に接続されている。
【００１５】
制御部１１は、ＣＰＵ（Ｃｅｎｔｒａｌ  Ｐｒｏｃｅｓｓｉｎｇ  Ｕｎｉｔ）１１ａ、ＲＡＭ（Ｒａｎｄｏｍ  Ａｃｃｅｓｓ  Ｍｅｍｏｒｙ）１１ｂを備え、接続されている各部、各部の動作の制御を行う。
【００１６】
操作部１２は、マウス、キーボード等から構成される入力装置である。ユーザは操作部１２を介してユーザ用端末１０に文字等を入力することが可能である。
【００１７】
表示部１３は、液晶表示パネル、ＥＬ（Ｅｌｅｃｔｒｏ  Ｌｕｍｉｎｅｓｃｅｎｃｅ）パネル、ＣＲＴ（Ｃａｔｈｏｄｅ  Ｒａｙ  Ｔｕｂｅ）ディスプレイ、等から構成される。表示部１３は、制御部１１の制御に従って文字、画像、映像等を表示する。
【００１８】
通信部１４は、ＮＩＣ（Ｎｅｔｗｏｒｋ  Ｉｎｔｅｒｆａｃｅ  Ｃａｒｄ）等を備えている、インターネット等の通信ネットワークに接続することが可能なインターフェースである。ユーザ用端末１０は、通信部１４を介し、インターネット等の通信ネットワークに接続し、後述するクラウドサーバ３０と通信（データの送受信）することが可能である。
【００１９】
記憶部１５は、ユーザ用端末１０の補助記憶装置であり、フラッシュＳＳＤ（Ｓｏｌｉｄ  Ｓｔａｔｅ  Ｄｒｉｖｅ）、ＨＤＤ（Ｈａｒｄ  Ｄｉｓｃ  Ｄｒｉｖｅ）等から構成される。記憶部１５は会員情報１５ａ、クラウドサーバアクセス用プログラム１５ｂ等を記憶している。
【００２０】
会員情報１５ａは、データフォーマット変換システム１００を使用するユーザの個人情報であり、図２（Ａ）に例示するように、会員ＩＤ，パスワード、氏名、連絡先、クレジットカード情報等の情報を含む。
クラウドサーバアクセスプログラム１５ｂは、クライアントサーバ５０にアクセスするためのプログラムである。
データインタフェース（ＩＦ）１６は、フラッシュメモリ等の外部の記録メデアに記録されているデータを読み取って制御部１１に提供する装置である。データインタフェースは、Ａ／Ｄ変換器を備えて、アナログメデアの記録データをデジタル化して取り込む機能をそなえてもよい。
【００２１】
図１に示す店舗用端末２０（２０−１〜２０−Ｍ）は、それぞれ、情報機器を販売する店舗のサービスカウンタ、パソコンクリニック、工房等に設置されているコンピュータである。
【００２２】
店舗用端末２０は、図３に示すように、制御部２１、操作部２２、表示部２３、通信部２４、記憶部２５、データインタフェース２６、を備える。操作部２２、表示部２３、通信部２４、記憶部２５、データインタフェース２６は、制御部２１に接続されている。
【００２３】
制御部２１〜記憶部２５は、基本的には、ユーザ用端末１０の制御部１１〜記憶部１５と同様の構成を有する。
メデアインタフェース（ＩＦ）２６は、過去の提供された様々な記録メデアに記録されているデータの読み取りを可能とするために、カセットテープレコーダ２６１、レコードプレーヤ２６２、アナログビデオデッキ２６３，デジタルビデオデッキ２６４，フレキシブルデスク装置複数２６５、ミニディスク装置（商標）２６６，ＭＯ装置２６７、ＣＤプレーヤ２６８，ＤＶＤプレーヤ２６９，ブルーレイプレーヤ２７０，ＵＳＢポート２７１，ＳＤカードソケット２７２、赤外線通信ポート２７３等のメデアアクセス装置を備える。
また、メデアＩＦ２６は、データフローコントローラ２８１を備える。データフローコントローラ２８１は、メデアアクセス装置２６１〜２７３と制御部と制御部２１との間のデータの流れを制御する。
【００２４】
クラウドサーバ３０は、ユーザ用端末１０を介してユーザに種々のサービスを提供するための装置であり、図５に示すように、制御部３１、通信部３２、記憶部３３を備える。
【００２５】
制御部３１は、クラウドサーバ３０全体の動作の制御を行う。
【００２６】
通信部３２は、インターネット等の通信ネットワークに接続することが可能なインターフェースである。クラウドサーバ３０は、通信部３２を介し、インターネット等の通信ネットワークに接続し、ユーザ用端末１０、店舗用端末２０等と通信する。
【００２７】
記憶部３３は、クラウドサーバ３０の補助記憶装置であり、フラッシュＳＳＤ、ＨＤＤ等から構成される。記憶部３３は、顧客管理（顧客基本情報）ＤＢ（Ｄａｔａｂａｓｅ）３３ａ、変換データＤＢ３３ｂ、変換プログラムリスト３３ｃ、変換プログラム３３ｄを格納している。
【００２８】
顧客管理ＤＢ３３ａは、図６に示すような、データフォーマット変換システム１００の会員ユーザの基本情報（個人情報）から構成されるＤＢであり、登録ユーザの、会員識別情報、パスワード、電話番号、ＩＰアドレス、メールアドレス等の基本情報、サービス加入状況、課金情報、システム構成等の基本情報を記憶する。
会員識別情報（ＩＤ）は、データフォーマット変換システム１００を利用する者に与えられているユニークな識別情報である。パスワードは、データフォーマット変換システム１００にログインするためのパスワード、パスフレーズ等の認証情報である。氏名電話番号は、ユーザの氏名又は名称と電話番号であり、ＩＳＰは、そのユーザが契約しているＩＳＰの名称又は識別情報、ＩＰアドレス、メールアドレス等の基本情報、サービス加入状況、課金情報、システム構成等の情報を記憶する。
【００２９】
変換データＤＢ３３ｂは、このデータフォーマット変換システム１００を使用してユーザが変換処理した変換前のデータと変換後のデータとを、変換ＩＤを付して、ユーザ毎に記憶している。
【００３０】
変換プログラムリスト３３ｃは、フォーマット変換の種類（変換前のフォーマットと変換後のフォーマットの組み合わせ）とその変換に使用するプログラムのＩＤとを対応付けて記憶する。
【００３１】
変換プログラム３３ｄは、変換プログラムリスト３３ｃに登録されているフォーマット変換プログラムであり、所定フォーマットのファイルを他のフォーマットのファイルに変換する。
【００３２】
次に、上記構成を有するフォーマット変換システム１００の動作を、場面を分けて説明する。
【００３３】
（ユーザ用端末からのフォーマット変換）
ユーザは、フォーマット変換が必要になると、記憶部１５に記憶されているクラウドサーバアクセス用プログラム１５ｂを起動する等して、通信部１４を介してクラウドサーバ３０にアクセスし、会員情報１５ａをクラウドサーバ３０に提供する（図１０，ステップＡ１１）。
クラウドサーバ３０は、アクセスを受信し（ステップＢ１１）、受信した会員情報と自己が保有する会員情報とに基づいて、ユーザ用端末１０との間で認証処理を実行する（ステップＡ１２，Ｂ１２）。クラウドサーバ３０は、ユーザがクラウドサービスの会員であると判別した場合、図８に示すフォーマット変換画面を生成し（ステップＢ１３）、ユーザ端末１０に送信する。ユーザ端末１０は、これを表示する（ステップＡ１３）。
【００３４】
ユーザは、フォーマット変換画面上で、変換フォーマットを変換したいデータの種類（静止画、動画、音声、ドキュメント）を指定する。また、変換先のフォーマットを指定する。フォーマットは、名称で変換指定しても、拡張子で指定してもよい。続いて、ユーザは、変換元のドロップボックスに、変換対象のファイルをドラッグアンドドロップし、実行ボタンをクリックする（ステップＡ１４）。
なお、同一の変換処理ならば、複数のデータをドロップボックスに投入してもよい。
【００３５】
この操作に応答して、制御部１１は、通信部１４を介して、入力された情報とファイルをクラウドサーバ３０に送信する。クラウドサーバ３０は、これらの情報を通信部３２を介して受信する。
【００３６】
クラウドサーバ３０の制御部３１は、受信した情報から変換元のフォーマットと変換後のフォーマットの組み合わせを特定し、プログラムリスト３３ｂを参照して、変換に使用するプログラムを特定する（ステップＢ１４）。
制御部３１は、特定したプログラムを起動し、受信したファイルを、指定されたフォーマットのデータに変換する（ステップＢ１５）。
【００３７】
変換が終了すると、制御部３１は、図８に示すような、変換先のボックスに変換後のホルダを配置した画面を生成し、ユーザ端末１０に送信する（ステップＢ１６）。
ユーザは、ユーザ端末１０の表示部１４に表示された画面上（図８の画面）の変換後ボックスに表示されているファイルアイコンをドラッグアンドドロップして、記憶部２５などにダウンロードする（ステップＡ１５）。
【００３８】
一方、クラウドサーバ３０の制御部３１は、図７に示すように、変換前データ、変換後データ、変換ＩＤ、ユーザＩＤを対応付けて、変換データＤＢ３３ｃに格納する（ステップＢ１７）。
以上で、１回あたりの変換処理が終了する。
なお、ユーザ基本情報を用いて、課金処理を行う等してもよい。
【００３９】
（店舗用端末からのフォーマット変換）
ユーザ用端末１０からの変換依頼が困難なユーザは、例えば、変換対象のデータを格納したメデアを店舗に持参する。店舗の担当者は、メデアを受領し、メデアＩＦ２６にセットする。
カセットテープ、レコード、ＣＤ等、リアルタイムでの処理が困難なものに関しては、予め、記憶装置２５に取り込みの処理を行っておくことが望ましい。
【００４０】
店舗の担当者或いはユーザは、前述のユーザ用端末１０を操作する場合と同様に、店舗用端末２０を操作して、クラウドサーバ３０にアクセスし、同様の処理により、ファイルのフォーマットを変換する。この際、ユーザを特定するために、ユーザＩＤを使用することが望ましい。
変換が終了すると、店舗の担当者或いはユーザは、変換されたファイルをダウンロードし、記録メデアに格納する。
また、クラウドサーバ３０は、図７に示すように、変換前データ、変換後データ、変換ＩＤ、ユーザＩＤを対応付けて、変換データＤＢ３３ｂに格納する。
以上で、１回あたりの、店舗用端末２０を介した変換処理が終了する。
【００４１】
以上説明したように、本実施形態によれば、ユーザは、簡単な手順でデータのフォーマットを変換することができる。従って、例えば、家に保存されている家族の古いビデオ（アナログ）をブルーレイ等に変換して楽しんだり、コンピュータにダウンロードした音楽や映像を、再生形式の異なるスマートフォン用に変換してスマートフォンで楽しむ、といった処理が容易に可能となる。
変換プログラム３３ｄは、クラウドサーバ３０に容易されているだけなので、まれな変換を行う利用度の低いプログラムでも用意することが用意であり、多種の変換を可能とすることができる。
【００４２】
（データダウンロードサービス）
変換したファイルを消失、破損することがある。
データフォーマット変換システム１００のクラウドサーバ３０には、フォーマット変換前のデータと変換後のデータが共に保存されている。
そこで、データを失ったユーザは、クラウドサーバ３０に保存されているデータをダウンロードすることができる。
この場合、ユーザは、例えば、ユーザ用端末１０からクラウドサーバ３０にアクセスし、認証処理後、ファイルのダウンロードを指定し、変換ＩＤ、変換前後の別を入力する（ステップＣ１１）。
クラウドサーバ３０は、アクセスを受信し（ステップＤ１１）、受信した会員情報と自己が保有する会員情報とに基づいて、ユーザ用端末１０との間で認証処理を実行する（ステップＣ１２，Ｄ１２）。クラウドサーバ３０は、ユーザがクラウドサービスの会員であると判別した場合、所定のダウンロード画面を生成し（ステップＤ１３）、ユーザ端末１０に送信する。ユーザ端末１０は、これを表示する（ステップＣ１３）。
【００４３】
ユーザは、ダウンロード画面上で、ダウンロードしたいデータを直接或いは種々の検索処理を行って、ダウンロードしたいデータを特定する（ステップＣ１４）。ユーザは、変換ＩＤを指定することにより、データを直接指定できる。或いは、ユーザは、変換日、変換の種類などからデータを検索して特定し、ダウンロードすることができる。クラウドサーバ３０は、処理に協力する。
データが指定されると、クラウドサーバ３０は、指定されたデータを抽出し（ステップＤ１４）、ユーザ用端末１０にダウンロードし（ステップＤ１５）、ユーザ用端末１０はこれを受信する（ステップＣ１５）。
【００４４】
こうして、ユーザは、失ったデータを再取得することができる。
この際、会員情報１５ａを使用して、課金処理を行う等してもよい。
【００４５】
以上説明したように、本実施形態によれば、ユーザは、フォーマット変換済のデータを任意のタイミングでダウンロードできる。データを紛失した場合を例としがが、例えば、コンピュータで変換しておき、スマートフォンでダウンロードする等、異なった対応でのダウンロードも可能である。
【００４６】
（応用例）
（１）  上記実施の形態においては、ユーザ用端末から提供されたデータのフォーマットを変換する例を示したが、変換対象のデータは任意であり、例えば、クラウドサーバ３０が予め蓄積している映像・音楽等のデータでもよい。例えば、クラウドサーバ３０が高品質の映像・音声データを記憶し、これをユーザ用端末１０に配信する際に、ユーザ基本情報３３ａから、ユーザ端末１０のスペック、例えば、表示装置の表示画素数やＣＰＵの処理能力に応じて、ユーザ用端末１０で過度の負担無く出力できる程度の低解像度・低処理負担の画像に変換して、ユーザ用端末１０に提供する等してもよい。また、自動で、変換の内容を決定するのではなく、ユーザにデータを提供して、選択させるようにしてもよい。
【００４７】
（２）  上記実施の形態では、クラウドサーバ３０で全てのフォーマット変換処理を実行したが、例えば、店舗用端末２０で同様の変換処理を行うようにしてもよい。
この場合、店舗用端末２０の記憶部２５に、変換プログラムや、プログラムリストを格納する、
そして、例えば、メデアＩＦ２６に新たに記録メデアが装着されると、データフローコントローラ２８１がそれを検出し、制御部２１に通知する。制御部２１が表示部２３に案内画面を表示させ、変換対象のデータを格納している記録メデア（入力メデア）と変換後のデータを出力する記録メデア（出力メデア）を特定させる。
【００４８】
続いて、制御部２１は、入力メデア中の変換対象のデータを特定させ、出力データのフォーマットを特定させる。
【００４９】
続いて、制御部２１は、変換元フォーマットと変換先フォーマットの組み合わせと、変換プログラムリストとに基づいて、変換プログラムを特定し、変換プログラムを実行し、データのフォーマット変換を実行し、変換後のデータをデータフローコントローラ２６を介して出力メデアに記録する。
また、このとき、変換ＩＤを採番し、ユーザＩＤ及び変換済みデータと共にクラウドサーバ３０にアップする。クラウドサーバ３０は、これらのデータを変換データＤＢ３３ｂに登録する。
【００５０】
このような構成によれば、ユーザは、出力メデアに変換済みのデータを得ることができる。また、クラウドコンピュータ３０から、適宜、データをダウンロードすることも可能となる。
【００５１】
上記実施の形態では、フォーマット変換を全てソフトウエア処理により実行する例を示したが、変換処理の全部又は一部をハードウエアで実行してもよい。
例えば、図１３に示すように、記録データ毎にコンバータを用意し、これにより、各記録メデアからのデータを共通フォーマットに変換した後、同様の構成のハードウエアにより記録メデア毎に、書き込む形式としたり、共通フォーマットの信号をソフトウエアで処理して、所望のフォーマットのデータを得る等してもよい。
【００５２】
なお、この発明は、上記実施の形態に限定されず、種々の変形及び応用が可能である。
例えば、上記実施の形態においては、ユーザ端末１０の記憶部１５に、クラウドサーバ３０にアクセスするためのプログラム１５ｃを格納したが、プログラム１５ｃは、汎用のブラウザプログラムでもよい。この場合、例えば、ブラウザの「お気に入り」にクラウドサーバ３０のＵＲＬ（Universal Resource Locator）を登録しておき、お気に入りからクラウドサーバを選択することにより、クラウドサーバ３０にアクセスするようにしてもよい。
この場合は、クラウドサーバ５０は、アクセスしてきたユーザ用端末１０の属性を判別し、適合したメニューを提供するようにすればよい。
【００５３】
上記実施の形態１におけるデータフォーマット変換システム１００は、クラウドサーバを１台のみ備えていたが、クラウドサーバの台数は任意である。
【００５４】
また、上記各実施の形態におけるデータフォーマット変換システム１００が提供するサービスの内容は任意である。例えば、デジタル新聞配信サービス、アイコン管理サービス、セキュリティ設定サービス、ホームネットワーク設定サービス、ウェブストア、各種サポート（延長保証、機器設定、データ管理、データ復旧）、インターネット接続サービス、音楽サービス、動画サービス、ニュース配信サービス、ゲーム等を提供可能である。
【００５５】
また、コンピュータがプログラムを実行することで、データフォーマット変換システム１００，２００の機能を実現してもよい。データフォーマット変換システム１００の機能を実現するためのプログラムは、ＵＳＢ（Ｕｎｉｖｅｒｓａｌ  Ｓｅｒｉａｌ  Ｂｕｓ）メモリ、ＳＤメモリカード、ＣＤ−ＲＯＭ（Ｃｏｍｐａｃｔ  Ｄｉｓｃ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）、ＨＤＤ（Ｈａｒｄ  Ｄｉｓｃ  Ｄｒｉｖｅ）等のコンピュータ読み取り可能な記録媒体に記憶されてもよいし、ネットワークを介してコンピュータにダウンロードされてもよい。
【符号の説明】
【００５６】
１０            …ユーザ用端末
１１，２１，３１…制御部
１２，２２      …操作部
１３，２３      …表示部
１４，２４，３２…通信部
１５，２５，３３…記憶部
１５ａ          …会員情報
２０            …店舗用端末
３０            …クラウドサーバ
【図１】
2014039134.tif 000003
【図２】
2014039134.tif 000004
【図３】
2014039134.tif 000005
【図４】
2014039134.tif 000006
【図５】
2014039134.tif 000007
【図６】
2014039134.tif 000008
【図７】
2014039134.tif 000009
【図８】
2014039134.tif 000010
【図９】
2014039134.tif 000011
【図１０】
2014039134.tif 000012
【図１１】
2014039134.tif 000013
【図１２】
2014039134.tif 000014